(57)【要約】【課題】異なるジョブ間においても画像間に付与する余白による無駄紙の発生を低減することである。【解決手段】入力されたジョブに基づいて画像を記録部に記録させ、第１ジョブの次の第２ジョブのモードに応じて、前記第１ジョブで印刷した画像と前記第２ジョブで印刷する画像との間に余白を設けるか否かを決定する。【選択図】  図５
2015212051.tif 000002
【特許請求の範囲】
【請求項１】
ジョブに基づいて記録媒体に画像を記録部に記録させる記録制御手段と、
第１のジョブの次の第２のジョブのモードに応じて、前記第１ジョブに基づいて記録する画像と前記第２ジョブに基づいて記録する画像との間に余白を付与するかを決定する決定手段とを有することを特徴とする制御装置。
【請求項２】
前記モードは、
前記連続シートの搬送方向に対して連続記録される画像間に余白を付与せずに記録を行い、前記連続記録された画像間の境界部を切断部により切断することによりフチなし印刷を行うフチなし１カット印刷と、
前記連続シートの搬送方向に対して連続記録される画像間に余白を付与して記録を行い、前記記録された画像の前記搬送方向の上流側及び下流側それぞれに対して前記余白を切り落とすように前記切断部により切断することによりフチなし印刷を行うフチなし２カット印刷とを含むことを特徴とする請求項１に記載の制御装置。
【請求項３】
前記決定手段は、前記第１のジョブと前記第２のジョブの前記モードが連続してフチなし１カット印刷であった場合に、前記第１のジョブに基づく画像と前記第２のジョブの画像との間に余白を付与しないと決定することを特徴とする請求項１又は２に記載の制御装置。
【請求項４】
連続シートの切断を指示するカット指令を受けたか判定する判定手段をさらに備え、
前記判定手段がカット指令を受けたと判定した場合、切断部により切断をするために搬送手段により前記連続シートを搬送するよう制御することを特徴とする請求項１乃至３のいずれか１項に記載の制御装置。
【請求項５】
前記連続シートの切断を指示する指示手段をさらに有し、
前記判定手段は、前記画像の記録終了後の経過時間が予め定められた待機時間を超えた場合、又は、前記指示手段による指示が入力された場合、前記カット指令の入力があると判定することを特徴とする請求項４に記載の制御装置。
【請求項６】
前記連続シートを切断部により切断させる切断制御手段をさらに備え、
前記切断部は、前記連続シートの搬送方向に対して前記画像記録部より下流側の予め定められた位置に設けられ、
前記切断制御手段は、前記記録された画像が切断位置に達したときに、前記連続シートを前記切断部により切断するように制御することを特徴とする請求項１乃至５のいずれか１項に記載の制御装置。
【請求項７】
前記画像記録部を備えることを特徴とする請求項１乃至６のいずれか１項に記載の制御装置。
【請求項８】
前記モードは外部装置にインストールされたプリンタドライバを介して設定されることを特徴とする請求項１乃至７のいずれか１項に記載の記録装置。
【請求項９】
入力されたジョブに基づいて画像を記録部に記録させる記録工程と、
第１ジョブの次の第２ジョブのモードに応じて、前記第１ジョブで印刷した画像と前記第２ジョブで印刷する画像との間に余白を設けるか否か決定する決定工程とを有することを特徴とする制御方法。
【請求項１０】
請求項１乃至８のいずれか１項に記載の制御装置の各手段としてコンピュータを機能させるプログラム。
【発明の詳細な説明】
【技術分野】
【０００１】
本発明に制御装置及び制御方法に関し、特に、例えば、ロール状の記録用紙のような記録媒体を搬送し、インクジェット記録ヘッドを用いてフチ無し記録を行い、これを切断して排出する制御装置及び制御方法に関する。
【背景技術】
【０００２】
プリンタ、複写機、ファクシミリ等に組み込まれた記録装置は、給紙部から記録媒体が供給され、画像データに基づいて記録ヘッドにより記録媒体に画像を記録するように構成されている。その記録媒体には、ロール状に巻かれたロール紙、単票紙、プラスチックシートなどの記録媒体が一般的に使用されている。特に、大きなサイズの記録媒体を扱う記録装置は、いわゆるロール状の記録媒体を用いるものが多く、記録の行われたロール紙を所定位置で切断する切断機構を備えていることが一般的である。
【０００３】
従来、切断機構を備えた記録装置において、印刷物の４辺に余白がないフチなし印刷の方法として、フチなし１カット印刷とフチなし２カット印刷の２種類がある。フチなし１カット印刷とは、ロール紙の搬送方向に対して連続記録される画像間に余白を付与せずに記録し、記録された画像間の境界部を切断機構で切断してフチなし印刷を実現する方法である。また、フチなし２カット印刷とは、ロール紙の搬送方向に対して連続記録される画像間に余白を付与し、ロール紙の搬送方向に対する画像の先端側と後端側夫々に関して、画像と余白の境界部の画像寄りを切断機構で切断してフチなし印刷を実現する方法である。
【０００４】
フチなし１カット印刷の場合、画像間に余白を付与していないため、無駄紙の発生を低減することができる。一方、フチなし２カット印刷の場合、画像間に余白を付与することで、切断機構の位置ズレや搬送精度誤差等による切断位置ズレ、及び、切断機構のロール紙幅方向の切断精度の誤差を吸収するため、隣接する画像が入り込まず印刷物の品位が保つことができる。従って、ユーザは、記録画像や印刷物の用途に応じて、フチなし１カット印刷とフチなし２カット印刷を切り替えて使用している。
【０００５】
この種のフチなし印刷機能を備えた記録装置として、特許文献１に開示されているものが知られている。特許文献１では、フチなし印刷ジョブを受信すると、その受信ジョブが複数枚の画像を印刷するものかどうかを判定する。その受信ジョブが複数枚の画像を印刷し、且つ、連続記録される画像間の境界部が類似している場合、フチなし１カット印刷を用い、連続記録される画像間の境界部が類似していない場合や受信ジョブが１枚の画像を印刷する場合はフチなし２カット印刷を用いる。
【０００６】
なお、フチなし１カット印刷はロール紙の搬送方向に対して複数枚の画像を画像間に余白を付与せずに連続的に記録することが必要であり、受信ジョブが１枚の画像印刷の場合、画像を連続的に記録することはないため、フチなし２カット印刷で画像を記録する。ここで、従来の記録装置におけるフチなし印刷の画像記録状態について、図面を参照して説明する。
【０００７】
図１１は従来の記録装置における異なるジョブでフチなし１カット印刷を指定して画像記録した状態を示す図である。図１１は、異なるフチなし１カット印刷のジョブＡ、ジョブＢ、及び、ジョブＣを連続的に受信してロール紙１に画像を記録した場合の状態を示している。
【０００８】
なお、ジョブＡ、ジョブＢ、及び、ジョブＣの画像枚数はそれぞれ２枚、１枚、及び１枚としている。図１１に示すように、従来の記録装置では、ジョブＡの１枚目の画像（Ａ１０１）とジョブＡの２枚目の画像（Ａ１０２）との間には余白を付与せずに印刷される。一方、ジョブＡの２枚目の画像（Ａ１０２）とジョブＢの画像（Ｂ１０１）との間、及び、ジョブＢの画像（Ｂ１０１）とジョブＣの画像（Ｃ１０１）との間にはそれぞれ余白が付与される。即ち、ジョブ間となるジョブＡの２枚目の画像とジョブＢの画像との間、及び、ジョブＢの画像とジョブＣの画像との間には無駄紙となる先端送り出し部位３０が生じる。
【先行技術文献】
【特許文献】
【０００９】
【特許文献１】特開２００４−１８１８４３号公報
【発明の概要】
【発明が解決しようとする課題】
【００１０】
以上説明したように、特許文献１では、フチなし印刷ジョブを受信すると、その受信ジョブが複数枚の画像を印刷するかどうかを判定し、その判定結果に従ってフチなし１カット印刷を用いるか、フチなし２カット印刷を用いるかを切り替える。即ち、同一ジョブ内の画像枚数、記録画像に応じて、フチなし１カット印刷とフチなし２カット印刷を切り替える。
【００１１】
しかしながら、フチなし１カット印刷を用いて画像を記録する場合、同一ジョブ内に複数枚の画像を印刷する場合は用紙を効率的に使用できるが、１枚の画像を印刷する場合は、フチなし２カット印刷に切り替えるため無駄紙が発生する。また、フチなし１カット印刷で画像を連続記録するのは同一ジョブ内に限られている。そのため、フチなし１カット印刷の画像が連続した場合でも、異なるジョブであると、連続記録される画像間には余白を付与して記録する。従って、その余白部が無駄紙として発生する。
【００１２】
本発明は上記従来例に鑑みてなされたもので、画像間に付与する余白による無駄な記録媒体の発生を低減できる制御装置及び制御方法を提供することを目的とする。
【課題を解決するための手段】
【００１３】
上記目的を達成するために本発明の記録装置は、次のような構成からなる。
【００１４】
即ち、ジョブに基づいて記録媒体に画像を記録部に記録させる記録制御手段と、第１のジョブの次の第２のジョブのモードに応じて、前記第１ジョブに基づいて記録する画像と前記第２ジョブに基づいて記録する画像との間に余白を付与するかを決定する決定手段とを有することを特徴とする。
【００１５】
また、本発明を別の側面から見れば、入力されたジョブに基づいて画像を記録部に記録させる記録工程と、第１ジョブの次の第２ジョブのモードに応じて、前記第１ジョブで印刷した画像と前記第２ジョブで印刷する画像との間に余白を設けるか否か決定する決定工程とを有することを特徴とする制御方法を備える。
【発明の効果】
【００１６】
従って本発明によれば、異なるジョブの間でも余白を付与せず連続記録を行い、記録された画像間の境界部を切断することで、無駄な記録媒体の発生を低減することが可能になる。
【図面の簡単な説明】
【００１７】
【図１】本発明の代表的な実施形態であるインクジェット記録装置の概略構成を示す側断面図である。
【図２】実施形態１に従う記録装置の制御構成を説明するためのブロック図である。
【図３】３枚の印刷物をフチなし２カット印刷で記録した状態を示す図である。
【図４】３枚の印刷物をフチなし１カット印刷で記録した状態を示す図である。
【図５】実施形態１に従うロール紙搬送制御の処理を示すフローチャートである。
【図６】実施形態１に従う記録装置において異なるジョブでフチなし１カット印刷を指定して画像を記録した状態を示す図である。
【図７】実施形態２に従うロール紙搬送制御の処理を示すフローチャートである。
【図８】カット指令を判定する処理を示すフローチャートである。
【図９】実施形態３に従う記録装置の制御構成を説明するためのブロック図である。
【図１０】実施形態３に従うロール紙搬送制御の処理を示すフローチャートである。
【図１１】従来の記録装置における異なるジョブでフチなし１カット印刷を指定して画像記録した状態を示す図である。
【発明を実施するための形態】
【００１８】
以下添付図面を参照して本発明の好適な実施形態について、さらに具体的かつ詳細に説明する。なお、既に説明した部分には同一符号を付し重複説明を省略する。
【００１９】
なお、この明細書において、「記録」（「プリント」という場合もある）とは、文字、図形等有意の情報を形成する場合のみならず、有意無意を問わない。また人間が視覚で知覚し得るように顕在化したものであるか否かを問わず、広く記録媒体上に画像、模様、パターン等を形成する、または媒体の加工を行う場合も表すものとする。
【００２０】
また、「記録媒体」とは、一般的な記録装置で用いられる紙のみならず、広く、布、プラスチック・フィルム、金属板、ガラス、セラミックス、木材、皮革等、インクを受容可能なものも表すものとする。
【００２１】
さらに、「インク」（「液体」と言う場合もある）とは、上記「記録（プリント）」の定義と同様広く解釈されるべきものである。従って、記録媒体上に付与されることによって、画像、模様、パターン等の形成または記録媒体の加工、或いはインクの処理（例えば記録媒体に付与されるインク中の色剤の凝固または不溶化）に供され得る液体を表すものとする。
【００２２】
図１は本発明の一実施形態であるインクジェット記録ヘッド（以下、記録ヘッド）を用いて記録を行うインクジェット記録装置（以下、記録装置）の概略構成を側断面図である。
【００２３】
図１に示すように、記録装置１００に保持されたロール状の記録媒体、例えば、ロール紙１は、上ガイド６と下ガイド７から形成される搬送路を通り搬送方向の下流へと送られる。ロール紙１の先端が搬送ローラ８とピンチローラ９とのニップ部まで到達すると、ロール紙１は搬送ローラ８とピンチローラ９とで挟持され、さらに記録ヘッド２に対向配置されたプラテン１０上へと搬送される。画像記録部まで搬送されたロール紙１は、記録ヘッド２によりインクが吐出され画像が記録される。画像記録部は、記録ヘッド２と記録ヘッド２を搭載するキャリッジ３と、記録ヘッド２に対向配置されたプラテン１０とによって構成されている。キャリッジ３は、記録装置１００に互いに平行に配置されたキャリッジシャフト４とガイドレール（不図示）に沿って摺動可能に支持され往復移動する。
【００２４】
画像記録部において、キャリッジ３の往路移動または復路移動による１ライン分の走査により画像を記録すると、ロール紙１を搬送ローラ８とピンチローラ９とにより搬送方向に所定ピッチだけ送り、キャリッジ３を再び移動させて次のラインの画像記録を行う。ロール紙１の記録済み部は、排紙ガイド１１へ向けて搬送され、これを繰り返してページ全体に画像が記録される。画像記録が終了すると、ロール紙１は所定の切断位置まで搬送され、切断部であるカッタ５によって切断される。切断されたロール紙１は、排紙ガイド１１から記録装置１００の外側へ排出される。このように、カッタ５は、ロール紙１の搬送方向下流側に配置されており、この実施形態では、ロール紙１に対して記録ヘッド２による印刷の実行中にカッタ５がロール紙１の下流側を切断することが可能である。
【００２５】
ここで、カッタ５と記録装置１００の外縁部までの距離をＬとした場合、切断されるロール紙１が距離Ｌより著しく短いと、切断後もその位置に滞留し易く、ユーザが外部から取り除こうとしても困難である。また、カットされた用紙がいわゆる短冊状の著しく短い状態であると、切断動作や次の記録動作などの外的要因により容易に動かされ易く、想定外の動作不良を引き起こす可能性がある。従って、距離Ｌを最小カット長Ｌｃとする。最小カット長Ｌｃは１００〜２００ｍｍが一般的であるが、記録装置の構成により、これに限定されるものではない。
【００２６】
ここでは、印刷処理を行う記録媒体（または記録シート）としてロールシートを用いたものを例に説明する。このロールシートは連続シートの例であるが、同一面への複数ページ分の印刷を途中で切断せずに続けて行える長尺の連続シートであれば、ロール状となったものには限らない。また、連続シートの切断は、記録装置が自動的に切断するものであってもよいし、ユーザがマニュアル指示を行って切断するものであってもよい。
【００２７】
また、印刷方式は後述する画像印刷用液体インクを用いたインクジェット方式による画像の印刷には限らない。記録材に付与する記録剤として固形インクを用いてもよいし、トナーを用いた電子写真方式、昇華方式、熱転写方式、ドットインパクト方式など種々のものを採用可能である。また、複数色の記録剤を用いたカラー記録を行うものには限らず、黒色（グレーを含む）のみによるモノクロ記録を行うものとしてもよい。また、図１では、記録装置が制御装置としたが、図１の記録装置と接続された外部装置からの指示で当該記録装置における印刷処理の動作を制御させる場合、この外部装置が制御装置となる。
【００２８】
次に、以上の構成の記録装置におけるロール紙搬送制御のいくつかの実施形態について説明する。
【００２９】
＜実施形態１＞
図２は実施形態１に従う記録装置の概略制御構成を示すブロック図である。
【００３０】
図２に示すように、コンピュータ２００にはプリンタドライバ２１０がインストールされ、プリンタドライバ２１０は印刷モード設定部２２０を備えている。印刷モード設定部２２０は、フチ有り印刷、フチなし１カット印刷（第１の印刷モード）、及び、フチなし２カット印刷（第２の印刷モード）をユーザに選択させるために用いられる。
【００３１】
一方、記録装置１００は制御部４００、搬送モータ５１、カッタモータ５２、キャリッジモータ５３、記録ヘッド２を含む。
【００３２】
制御部４００は、主制御部４１０、搬送制御部４２０、及び画像形成制御部４３０を含む。搬送制御部４２０は搬送モータ５１及びカッタモータ５２の動作を制御し、画像形成制御部４３０は、キャリッジモータ５３及び記録ヘッド２の動作を制御する。即ち、搬送制御部４２０は、搬送制御及び切断制御を行い、画像形成制御部４３０は、記録制御を行う。
【００３３】
また、制御部４００は、不図示のＣＰＵ、ＲＯＭ、ＲＡＭ、及び、モータドライバ等を備える。ＣＰＵは、ログラムの実行やハードウェアの起動により記録装置１００全体の動作を制御する。ＲＯＭは、ＣＰＵが実行するためのプログラムや記録装置１００の各種動作に必要な固定データを格納する。ＲＡＭは、ＣＰＵのワークエリアとして用いられたり、種々の受信データの一時格納領域として用いられたり、各種設定データを記憶させたりする。
【００３４】
主制御部４１０は、次印刷モード判定部４１１、及び、カット動作判定部４１２を備えており、プリンタドライバ２１０から受信した印刷モードに応じて、搬送制御部４２０と画像形成制御部４３０に対して指令を与える。
【００３５】
次印刷モード判定部４１１は、フチなし１カット印刷においてロール紙を切断する動作前まで、即ち、画像記録を行ってロール紙を切断する動作前までに次の画像の印刷モードを判定する。カット動作判定部４１２は、次印刷モード判定部４１１の判定結果に応じて、次の切り替えを行う。即ち、フチなし１カット印刷により画像が記録されたロール紙の後端部を切断する動作を、次の画像の画像記録開始前に実行するか、若しくは、次の画像の画像記録開始以降に実行するかを切り替える。主制御部４１０の判断に基づき、搬送制御部４２０は搬送モータ５１を駆動してロール紙１を搬送し、カッタモータ５２を駆動させてロール紙１を切断し、画像形成制御部４３０はキャリッジモータ５３と記録ヘッド２の連携させて然るべき位置に画像を形成する。
【００３６】
なお、プリンタドライバをインストールできる装置は、コンピュータに限定されるものではない。例えば、記録装置１００との有線、或いは、無線によるインタフェースを備えており、画像を送信可能である機器であれば、デジタルカメラ、携帯電話、タブレット端末などをコンピュータの代わりに用いることもできる。従って、適切なインタフェースを備え、記録装置に画像データを印刷ジョブとして送信できる装置をホスト装置という。
【００３７】
次に、記録装置１００におけるフチなし２カット印刷とフチなし１カット印刷における画像記録制御について説明する。
【００３８】
図３は３枚の印刷物をフチなし２カット印刷で記録した状態を示す図であり、図４は３枚の印刷物をフチなし１カット印刷で記録した状態を示す図である。なお、図３〜図４に示される破線はカッタ５でロール紙１を切断する位置を示している。また、図５は実施形態１に従うロール紙搬送制御の処理を示すフローチャートである。
【００３９】
まず、図３を参照してフチなし２カット印刷における記録制御方法について説明する。図３において、矢印Ｘは記録ヘッド２の移動方向（主走査方向）を示し、Ｙ矢印はロール紙１の搬送方向（副走査方向）を示す。また、ロール紙１の搬送方向に関し下流側を画像先端Ｔ、上流側を画像後端Ｂと定義する。また、プリンタドライバ２１０から送信した印刷指令単位をジョブと定義し、異なるジョブとは異なるプリンタドライバ２１０から送信した印刷指令や、同じプリンタドライバ２１０からの印刷指令でも異なるタイミングで送信した印刷指令を示すものとする。
【００４０】
記録装置１００がフチなし２カット印刷のジョブを受信すると、ロール紙１の先端から画像２０ａの画像先端Ｔまでの長さが先端送り出し長さＬｐとなるようにＹ方向にロール紙１を搬送する。そして、記録ヘッド２からのインク吐出により画像２０ａの記録が開始され、画像２０ａの記録が進むとカッタ５の取付位置に切断位置Ｃ１が到達し、その位置でロール紙１が切断される。この際、画像２０ａの先端は、画像先端Ｔから入り込み量Ｙ１分だけ画像２０ａの内側を切断することになるため、先端部に余白のない画像を形成することができる。
【００４１】
なお、切断位置Ｃ１で切断する動作を先端トリミングカットと定義し、先端トリミングカットで切り離す先端送り出し部位３０の先端トリミングカット長さＬｑは、Ｌｑ＝（Ｌｐ＋Ｙ１）≧Ｌｃが成立するように制御している。ここで、先端トリミングカット長さＬｑは、前述の最小カット長Ｌｃの制約を受けるが、これは、ロール紙１からカッタ５により切り離される長さ全てにおいて、最小カット長Ｌｃ未満であると、排紙不良や動作不良が発生する可能性があるからである。なお、入り込み量Ｙ１は、例えば、３ｍｍ程度である。
【００４２】
また、主走査方向への記録において、ロール紙１の右端からはみ出し量Ｘ１で示される分だけ右の位置まで記録ヘッド２からインクが吐出され、ロール紙１の左端からはみ出し量Ｘ２で示される分だけ左の位置までインクが吐出される。即ち、主走査方向にロール紙１の幅Ｗを越える範囲でインク吐出を行い、ロール紙１の右端と左端に関して、余白の無い画像を形成する。なお、はみ出し量Ｘ１、Ｘ２は、例えば、３ｍｍ程度である。ここで、ロール紙１の幅Ｗを越える範囲のインク吐出は、記録装置１００のプラテン１０にインクを受容できる構造を持つことで可能となる。さらに、画像２０ａの記録が進み記録が終了すると、ロール紙１の切断位置Ｃ２がカッタ５の取付位置にくるまでロール紙をＹ方向に搬送させる。
【００４３】
ここで、切断位置Ｃ２は画像２０ａの画像後端Ｂの下流側、入り込み量Ｙ２で示される位置である。カッタ５の取付位置にロール紙の切断位置Ｃ２が到達すると、その位置でロール紙１が切断される。このように画像２０ａを切り離すための切断動作を画像後端部切断動作と定義する。この際、画像２０ａの後端は、画像後端Ｂから入り込み量Ｙ２分だけ画像２０ａの内側を切断することになるため、後端部に余白のない画像を形成することができる。なお、入り込み量Ｙ２は、例えば、３ｍｍ程度である。
【００４４】
次に、連続してフチなし２カット印刷のジョブを受信すると、切断位置Ｃ２をロール紙１の先端とし、画像２０ｂの画像先端Ｔまでの長さが先端送り出し長さＬｐとなるようにＹ方向にロール紙１を搬送して画像２０ｂの記録を開始する。その後の動作については、画像２０ａの記録と同様に、切断位置Ｃ３で画像２０ｂの先端を切断し、その後、画像２０ｂの記録が終了すると、切断位置Ｃ４で画像２０ｂの後端を切断する。これにより、画像２０ｂの先端部及び後端部に余白のない印刷物を形成することができる。さらに連続してフチなし２カット印刷のジョブを受信した場合も、画像２０ｂの記録と同様に画像２０ｃの先端部と後端部をそれぞれ、切断位置Ｃ５、Ｃ６で切断することにより余白のない印刷物を形成することができる。以上の動作により、４辺全てに余白のない印刷物となるフチなし印刷を形成することができる。
【００４５】
なお、上記動作より、フチなし２カット印刷では、１枚の印刷物毎に先端トリミングカット時に発生する先端トリミングカット長さＬｑ分の先端送り出し部位３０が無駄紙として発生する。しかし、入り込み量Ｙ１、Ｙ２分だけ画像の内側を切断することにより、カッタ５の取付位置ズレや搬送精度誤差等による切断位置ズレ、及び、ロール紙１の幅方向の切断精度の誤差を吸収することができる。このため、隣接する画像が入り込まず印刷物が高品位に保たれる。従って、フチなし２カット印刷は、例えば、印刷物の品位を重視する用途で使用される。ここで、Ｙ１、Ｙ２、Ｘ１、Ｘ２の数値は一例であり、記録装置の構成によりこれに限定されるものではない。
【００４６】
次に、図４を参照してフチなし１カット印刷における記録制御方法について説明する。ここで、画像２０ｄ、画像２０ｅ、画像２０ｆは、例えば、それぞれ異なる印刷ジョブの画像である。
【００４７】
記録装置１００がフチなし１カット印刷のジョブを受信すると、ロール紙１の先端から画像２０ｄの画像先端Ｔまでの長さが先端送り出し長さＬｐとなるようにＹ方向にロール紙１を搬送する。そして、記録ヘッド２からのインク吐出による画像２０ｄの記録が開始され、画像２０ｄの記録が進むとカッタ５の取付位置にロール紙１の切断位置Ｃ１１が到達し、その位置でロール紙１が切断される。この際、画像２０ｄは、画像先端Ｔから入り込み量Ｙ１分だけ画像２０ｄの内側を切断することになるため、その先端部に余白のない画像が形成される。なお、切断位置Ｃ１１で切断する先端トリミングカットについては、フチなし２カット印刷における先端トリミングカットと同様であり、先端トリミングカット長さＬｑ分の先端送り出し部位３０が生じる。
【００４８】
また、主走査方向への記録において、フチなし２カット印刷と同様に、ロール紙１の右端からはみ出し量Ｘ１で示される分だけ右の位置まで、ロール紙１の左端からはみ出し量Ｘ２で示される分だけ左の位置までそれぞれインクが吐出される。
【００４９】
さらに、画像２０ｄの記録中、具体的には、画像２０ｄの印刷開始から印刷完了までに、次印刷モード判定部４１１において次の画像の印刷モードを判定する。ここで、次の画像の印刷モードがフチなし１カット印刷の場合、カッタ５による画像２０ｄの画像後端部の切断動作を実行せずに、画像２０ｄの画像後端Ｂに略一致する位置から画像２０ｅの記録を開始する。これにより、画像２０ｄの画像後端Ｂと画像２０ｅの画像先端Ｔが略一致することになり、その位置が切断位置Ｃ１２となる。
【００５０】
そして、画像２０ｅの記録が進むとカッタ５の取付位置にロール紙１の切断位置Ｃ１２が到達し、その位置でロール紙１が切断される。この切断動作に伴って、画像２０ｄがロール紙１から切り離され、画像２０ｄの先端部と後端部に余白のない印刷物を形成することができる。このようにフチなし１カット印刷では、画像後端部の切断動作において画像２０ｄと画像２０ｅの画像間の切断位置Ｃ１２で切断することにより、画像２０ｄが切り離される。なお、画像２０ｄの後端Ｂと画像２０ｅの先端Ｔとは、上述した通り略一致しているので切断は１回でよい。画像２０ｄの画像後端部の切断動作時には、画像２０ｅの先端部に対しても、余白のない画像を形成することができる。
【００５１】
また、画像２０ｅの記録中、具体的に発明、画像２０ｅの印刷開始から印刷完了までに、再び次印刷モード判定部４１１において次の画像の印刷モードを判定する。ここで、次の画像の印刷モードがフチなし１カット印刷の場合、画像２０ｅの画像後端Ｂに略一致する位置から画像２０ｆの記録が開始される。ここでもまた、画像２０ｅの画像後端Ｂと画像２０ｆの画像先端Ｔが略一致することになり、その位置がロール紙１の切断位置Ｃ１３となる。そして、画像２０ｆの記録が進み、カッタ５の取付位置にロール紙の切断位置Ｃ１３が到達すると、切断位置Ｃ１３でロール紙１が切断される。このようにして、画像後端部の切断動作により画像２０ｅの後端部に余白のない印刷物を形成し、画像２０ｆの先端部に対しても、余白のない画像を形成することができる。
【００５２】
その後、画像２０ｆの記録中に、次印刷モード判定部４１１における判定において次の画像がフチなし１カット印刷でないと判断された場合、余白を設けて次の画像を印刷すると決定する。なお、次の画像が無い場合は、次の記録を行わずにロール紙１の切断位置Ｃ１４がカッタ５の取付位置にくるまでＹ方向に搬送する。ここで、切断位置Ｃ１４は画像後端Ｂの下流側、入り込み量Ｙ２で示される位置である。次の画像がフチなし１カット印刷でない場合及び次の画像が無い場合のいずれの場合も、カッタ５の取付位置に切断位置Ｃ１４が到達すると、その位置でロール紙１が切断される。この際、画像２０ｆは画像後端Ｂから入り込み量Ｙ２分だけ画像２０ｆの内側を切断することになるため、その後端部に余白のない画像が形成される。
【００５３】
以上の動作により、４辺全てに余白のない印刷物となるフチなし印刷を形成することができる。
【００５４】
さて、フチなし１カット印刷の先端トリミングカットは、ロール紙１の取付後１枚目の場合、前の印刷物がフチ有り印刷又はフチなし２カット印刷の場合、前の印刷物が画像後端部の切断動作を実行したフチなし１カット印刷とである場合に必要な動作である。これに対し、この実施形態では、上記動作より、印刷ジョブが異なっていても、フチなし１カット印刷が連続した場合は、フチなし１カット印刷の画像間において余白を形成せずに連続して画像を印刷する。従って、フチなし１カット印刷においては、フチなし１カット印刷の画像間において先端トリミングカットによる先端送り出し部位３０が発生しないため、先端送り出し部位３０による無駄紙の発生を低減することができる。しかし、連続的に記録された画像間の境界部を切断するため、フチなし１カット印刷の画像間には、カッタ５の取付位置ズレや搬送精度誤差等による切断位置ズレやロール紙の幅方向の切断精度の誤差により、隣接する画像が入り込むことがある。従って、フチなし１カット印刷は、無駄紙の発生を極力低減する用途で使用される。
【００５５】
なお、この実施形態では、ある画像の画像記録の開始からその画像の後端カット動作までの間に印刷モードを判定するものとした。しかしながら、記録を終了する画像の後端部に余白を形成することなく続けて次の画像の印刷を行うことが可能なタイミングであればこれに限定されるものではない。例えば、印刷モードの判定は、その画像よりも前の画像の印刷中に行ってもよい。
【００５６】
また、記録ヘッドの位置（記録位置）と、カッタ５の位置（切断位置）が離れている場合は、画像記録が全て終了した後にカッタ５で切断されることになる。
【００５７】
次に、図５を参照して、印刷指令であるジョブを受信してから印刷物を形成するまでの実施形態１に従う一連の動作について説明する。図５は、主制御部４１０が実行するフローチャートである。
【００５８】
まず、ステップＳ１０１で記録装置１００は、プリンタドライバ２１０で設定されたフチなし印刷を受信すると、次のステップＳ１０２では、受信したジョブがフチなし１カット印刷か判別する。具体的には、対応する印刷モードの設定が何であるかを調べ、フチなし１カット印刷かフチなし２カット印刷かを判別する。
【００５９】
ステップＳ１０２における判別の結果が、印刷モードがフチなし２カット印刷であると判別された場合（ステップＳ１０２におけるＮｏ）、処理はステップＳ１０３に進む。そして、フチなし２カット印刷に従って印刷物を形成するため、先端トリミングカットのためにロール紙１を先端送り出し長さＬｐ分だけ送り出す。そして、ステップＳ１０４では、所定の位置から印刷を開始し、ステップＳ１０５ではその印刷中にロール紙の先端トリミングカットの切断位置がカッタ５の取付位置に到達したら、一時的に印刷を中断し、先端トリミングカットを実行する。これにより、画像先端部において余白のない画像が形成される。
【００６０】
先端トリミングカット後も、ステップＳ１０６では引き続き印刷を続行し、ステップＳ１０７では、受信データに基づく画像の印刷が終了したかどうかを判断する。なお、受信データが複数部又は複数ページのフチなし２カット印刷を含む場合は、画像と画像の間に余白を設けながら印刷を実行する。ここで、印刷が終了したことを判断すると、処理はステップＳ１０８に進み、印刷を終えたロール紙１の画像後端部の切断位置をカッタ５の取付位置まで送り出す。そして、ステップＳ１０９ではロール紙１に一部の画像を残しロール紙１を切断することにより、画像後端部において余白のない画像を形成する。このようにして、フチなし印刷の印刷物が形成され一連の印刷動作を終了する。
【００６１】
一方、印刷モードがフチなし１カット印刷の場合（ステップＳ１０２におけるＹｅｓ）、処理はステップＳ１２０に進み、フチなし１カット印刷に従って印刷物を形成するため、先端トリミングカットのためにロール紙１を先端送り出し長さＬｐ分だけ送り出す。そして、ステップＳ１２１では所定の位置から印刷を開始し、さらにステップＳ１２２では、その印刷中にロール紙の先端トリミングカットの切断位置がカッタ５の取付位置に到達したら、一時的に印刷を中断し、先端トリミングカットを実行する。これにより、画像先端部において余白のない画像が形成される。
【００６２】
先端トリミングカット後も、ステップＳ１２３では引き続き印刷を続行する。なお、受信データが複数部又は複数ページのフチなし１カット印刷を含む場合は、画像と画像の間に余白を設けることなく印刷を実行する。そして、ステップＳ１２４では、次印刷モード判定部４１１が次の画像のデータを受信しているかどうかを確認する。即ち、次印刷モード判定部４１１が次の印刷ジョブを受信しているかどうかを確認する。
【００６３】
次の画像のデータを受信していない場合、処理はステップＳ１２５に進み、画像の印刷を終えた後は、ロール紙１の画像後端部の切断位置をカッタ５の取付位置まで送り出す。さらに、ステップＳ１２６では、ロール紙１に一部の画像を残しロール紙１を切断することにより、画像後端部において余白のない画像を形成する。このようにして、フチなし印刷の印刷物が形成され、一連の印刷動作を終了する。なお、ここでは、印刷終了した後に、ステップＳ１０８でロール紙の送り出しを行い、ステップＳ１０９で切断を行った。しかしながら、受信データが複数部又は複数ページのフチなし１カット印刷を含む場合は、受信データのある画像の印刷中に先に印刷された画像の後端部の切断位置がカッタ５の取付位置に到達する場合がある。この場合は、前の画像の画像後端Ｂと印刷している画像の画像先端Ｔとの境界部となる切断位置がカッタ５の取付位置に到達したら、一次的に印刷を中断し、その位置で画像後端部切断動作を実行する。
【００６４】
これに対して、ステップＳ１２４において次の画像のデータを受信していると判断した場合、処理はステップＳ１２７に進み、次印刷モード判定部４１１が次の画像の印刷モードがフチなし１カット印刷であるかフチなし１カット印刷以外であるかを確認する。ここで、次の受信データの画像がフチなし１カット印刷以外である場合、次の画像のデータを受信していない場合と同様に、処理はステップＳ１２５に進み、上述の処理を実行する。一方、次の画像がフチなし１カット印刷である場合、処理はステップＳ１２８に進む。
【００６５】
ステップＳ１２８では、印刷が終了した画像後端Ｂに略一致する位置から、次の画像の印刷を開始する。ステップＳ１２９ではその印刷中に前の画像の画像後端Ｂと印刷している画像の画像先端Ｔとの境界部となる切断位置がカッタ５の取付位置に到達したら、一時的に印刷を中断する。そして、その位置で画像後端部切断動作を実行する。これにより、前の画像がロール紙１から切り離されフチなし印刷の印刷物が形成され、印刷中の画像に対しては、画像先端部において余白のない画像が形成される。
【００６６】
そして、画像後端部の切断動作後は、ステップＳ１３０において、引き続き印刷を続行し、処理はステップＳ１２４に戻り、再び、次印刷モード判定部４１１が、次の画像を受信しているかどうかを確認する。このようにして、上述した動作を繰り返し実行する。
【００６７】
上述した実施形態では、受信データがフチなし１カット印刷又はフチなし２カット印刷である場合を例に挙げて説明した。しかしながら、受信データがフチなし１カット印刷とフチなし２カット印刷のいずれも含む場合、ステップＳ１０２において、受信データのうち最後に印刷するデータがフチなし１カット印刷か判定する。そして、受信データのうち最後に印刷するデータがフチなし１カット印刷である場合は、ステップＳ１２０へ進み、受信データのうち最後に印刷するデータがフチなし２カット印刷である場合は、ステップＳ１０２の処理を繰り返す。
【００６８】
なお、図５のフローチャートでは、フチなし２カット印刷のジョブを受信し、当該ジョブの印刷が終了した後に、次のジョブを受信した場合は、再び図５のフローチャートを実行する。この場合、処理がステップＳ１０８及びＳ１０９へ進む前に、ステップＳ１０１をスタートさせてもよい。
【００６９】
図６は実施形態１に従う記録装置において異なるジョブでフチなし１カット印刷を指定して画像を記録した状態を示す図である。
【００７０】
ここで、図６と図１１とを参照して、この実施形態に従う記録装置と従来の記録装置におけるフチなし１カット印刷の記録状態の差について説明する。
【００７１】
なお、図６と図１１は共に、異なるフチなし１カット印刷のジョブＡ、ジョブＢ、及び、ジョブＣを連続的に受信した場合の画像記録の状態を示すものであり、ジョブＡ、ジョブＢ、ジョブＣの画像枚数はそれぞれ、２枚、１枚、１枚としている。また、図６と図１１における破線はカッタ５で切断する位置を示している。
【００７２】
図６に示すように、この実施形態では、フチなし１カット印刷で画像を記録している際、次の画像がフチなし１カット印刷であれば、次の画像との間に余白を付与せずに記録する。そのため、図１１に示すように、従来の記録装置において発生していたジョブ間となるジョブＡの２枚目の画像とジョブＢの画像との間と、ジョブＢの画像とジョブＣの画像との間に無駄紙となる先端送り出し部位３０を設けなくて良い。なお、上述したジョブの個数とジョブ内の画像枚数とは一例に過ぎず、これに限定されるものではない。
【００７３】
従って以上説明した実施形態に従えば、フチなし１カット印刷を用いる場合、各ジョブの記録終了前までに次の記録の印刷モードを判定する。そして、次のジョブの印刷モードがフチなし１カット印刷の場合、画像後端に連続して次の画像の先端を記録すると決定し、記録を行う。そして、次の画像後端と次の画像の画像先端との境界部を切り離してフチなし１カット印刷の印刷物を出力する。このように、ジョブの終了時に画像後端部の切断動作をその記録終了後に実行せず、また、一のジョブの画像後端に連続して、すなわち、余白を設けることなく、次のジョブの画像を記録する。すなわち、設定される印刷モードに従って異なるジョブの間で連続的に記録される画像の間に余白を付与するかどうかを判断し、その判断結果に応じて記録媒体を搬送する。そのため、同一ジョブ内だけでなく、異なるジョブ間においてもフチなし１カット印刷のジョブが連続すれば、連続記録される画像間に余白を付与せずに記録することが可能となる。このようにして、画像間に付与する余白による無駄紙の発生を低減することができる。
【００７４】
また、この実施形態では、画像の印刷中に次印刷モード判定部４１１が次のジョブの印刷モードを判定するものとした。これにより、記録媒体の搬送を停止せずに印刷を実行することができ、スループットが向上する。
【００７５】
＜実施形態２＞
ここでは、次印刷モード判定部４１１が次印刷物のジョブが未受信である場合の制御について、特に、印刷指令であるジョブの受信後、印刷物を形成するまでの一連の動作について説明する。なお、実施形態１と同じ構成要素や同じ処理ステップに関しては、同一符号を用い、その説明は省略する。
【００７６】
図７は印刷指令であるジョブを受信してから印刷物を形成するまでの実施形態２に従う一連の動作を示すフローチャートであり、図８は実施形態２に従うカット指令を判定する処理を示すフローチャートである。図７は、主制御部４１０が実行するフローである。
【００７７】
ステップＳ１０１〜Ｓ１０２において、フチなし印刷を受信し、その印刷モードが２カット印刷である場合、実施形態１で説明したように、ステップＳ１０３〜Ｓ１０９の処理を実行する。
【００７８】
これに対し、印刷モードがフチなし１カット印刷の場合、ステップＳ１２０〜Ｓ１２４では実施形態１と同様の処理を実行する。そして、受信したデータに基づく画像の印刷が終了すると、ステップＳ１２４では、次印刷モード判定部４１１が次の画像のデータを受信しているかどうかを確認する。即ち、次印刷モード判定部４１１が次の印刷ジョブを受信しているかどうかを確認する。
【００７９】
ここで、次の画像のデータを受信している場合、実施形態１と同様にステップＳ１２７〜Ｓ１３０の処理を実行する。これに対して、次の画像のデータを受信していない場合、処理はステップＳ１４０に進み、カット指令の入力があるかどうかを確認する。ここで、カット指令の入力がない場合、処理はステップＳ１２４に戻り、次の画像のデータの受信を再度確認する。このようにして、カット指令が入力されるまでは画像後端部の切断動作を実行せずに待機する。このとき、記録媒体の搬送は停止する。
【００８０】
ここで、図８を参照してカット指令の判定処理について説明する。
【００８１】
まず、ステップＳ１５１では、前の画像の印刷終了後の経過時間ｔが予め登録されている待機時間ｔ１、又は、操作パネル等にて設定可能な待機時間ｔ１を超えたかどうかを調べる。ここで、ｔ＞ｔ１となれば、処理はステップＳ１５３に進み、カット指令有りと判定する。これに対して、ｔ≦ｔ１であれば、処理はステップＳ１５２に進む。
【００８２】
ステップＳ１５２では、操作パネルの切断動作を促すボタン（カットボタン等）が入力されたかどうかを調べる。ここで、そのようなボタン入力があれば、処理はステップＳ１５３に進み、カット指令有りと判定する。なお、操作パネルの切断動作を促すボタンが入力されない場合はＳ１５１へ戻る。このようにして、前の画像の印刷終了後の経過時間ｔがｔ１以下であっても、操作パネルの切断動作を促すボタン（カットボタン等）が入力されると、カット指令有りと判定される。また、所定の時間が経過すると、カット指令有りと判定する。
【００８３】
ここで、図７に戻って説明を続けると、ステップ１４０でカット指令有りと判定された場合、又は、ステップＳ１２７でフチなし１カット印刷以外の印刷物のデータを受信したことを確認すると、ステップＳ１２５〜Ｓ１２６の処理を実行する。このようにして、一連の印刷動作を終了する。
【００８４】
なお、カット指令の入力がない状態で、次の画像のデータを受信し、その画像がフチなし１カット印刷である場合、これ以降の処理は実施形態１のフチなし１カット印刷のジョブが連続した場合の動作と同様である。即ち、フチなし１カット印刷として連続的に印刷を開始するため画像間に余白を付与せずに記録を開始する。
【００８５】
従って以上説明した実施形態に従えば、フチなし１カット印刷で記録し、その印刷が終了した際、次の画像のジョブを受信していない場合でも、画像後端の切断動作を待機することができる。そのため、その後、フチなし１カット印刷のジョブを受信すれば前の画像と次の画像とを画像間に余白を付与せずに連続的に記録することが可能となり、ジョブ間に発生する画像間に付与する余白による無駄紙の発生を低減することができる。
【００８６】
また、フチなし１カット印刷の画像後端の切断動作を待機している状態で一定時間以上が経過すると画像後端の切断動作を実行することができる。これにより、ジョブが長時間放置され画像記録領域が変形するなどが原因となる想定外の動作不良を低減することができる。さらに、フチなし１カット印刷の画像後端の切断動作を待機している状態で、操作パネルの切断動作を促すボタンの入力があると画像後端の切断動作を実行することができる。そのため、ユーザが記録装置に印刷物を取りに来た場合、画像記録済みの画像が切り離されていない状態でも、必要な時に画像後端の切断動作を実行することにより、フチなし印刷の印刷物を取得することができる。
【００８７】
なお、この実施形態では、カット指令の判定に印刷終了後経過時間と操作パネルのカットボタン入力との両方を用いているが、どちらか片方のみをカット指令の判定に用いても良い。
【００８８】
＜実施形態３＞
ここでは、異なるジョブでフチなし１カット印刷を用いて連続的に画像を記録する場合の制御、特に、印刷指令であるジョブの受信後、印刷物を形成するまでの一連の動作について説明する。なお、実施形態１、２と同じ構成要素や同じ処理ステップに関しては、同一符号を用い、その説明は省略する。
【００８９】
図９は実施形態３に従う記録装置の制御構成を示すブロック図である。
【００９０】
図２に示した実施形態１の構成と比較すると、この実施形態では主制御部４１０に第１の印刷モード連続記録制御部４１３を備える。これ以外の構成は実施形態１と同様である。
【００９１】
図１０は実施形態３に従うロール紙搬送制御の処理を示すフローチャートである。
【００９２】
ステップＳ１０１〜Ｓ１０２において、フチなし印刷を受信し、その印刷モードが２カット印刷である場合、実施形態１で説明したように、ステップＳ１０３〜Ｓ１０９の処理を実行する。
【００９３】
これに対し、印刷モードがフチなし１カット印刷の場合、ステップＳ１２０〜Ｓ１２４では実施形態１と同様の処理を実行する。そして、受信したデータに基づく画像の印刷が終了すると、ステップＳ１２４では次印刷モード判定部４１１が次の画像のデータを受信しているかどうかを確認する。次の画像のデータを受信していない場合、その処理は実施形態１と同様であり、ステップＳ１２５〜Ｓ１２６の処理を実行し、一連の処理を終了する。これに対して、次の画像のデータを受信している場合、処理はステップＳ１２９に進む。
【００９４】
ステップＳ１２９では、次印刷モード判定部４１１が、次の画像の印刷モードがフチなし１カット印刷であるかフチなし１カット印刷以外であるかを確認する。ここで、次の画像がフチなし１カット印刷以外である場合、その処理は実施形態１と同様であり、ステップＳ１２５〜Ｓ１２６の処理を実行し、一連の処理を終了する。これに対して、次の画像がフチなし１カット印刷である場合、処理はステップＳ１６０に進む。
【００９５】
ステップＳ１６０では、フチなし１カット印刷として連続的に次の画像の印刷を開始するかどうかを判断する。この判断は、図９に示す主制御部４１０に備えられた第１の印刷モード連続記録制御部４１３が実行する。第１の印刷モード連続記録制御部４１３は、プリンタドライバ２１０、又は、操作パネルから記録装置１００に設定された情報に基づいて、異なるジョブ間でフチなし１カット印刷として連続的に印刷を開始するかどうかを判断する。例えば、操作パネルから余白設定の指示がなければ、異なるジョブ間でもフチなし１カット印刷として連続的に印刷を開始すると判定し、操作パネルからの余白設定の指示があれば、連続的に印刷を開始しないと判定し、余白の付与を行う。
【００９６】
ここで、異なるジョブ間でもフチなし１カット印刷として連続的に印刷を開始すると判断した場合、処理はステップＳ１３０に進み、異なるジョブの画像間に余白を付与せずに印刷を開始するようロール紙を搬送制御する。これ以降の処理は実施形態１で説明したのと同様にステップＳ１２８〜Ｓ１３０の処理を実行する。これに対して、異なるジョブ間でフチなし１カット印刷として連続的に印刷を開始しないと判断した場合、処理はステップＳ１２５に進み、実施形態１で説明したのと同様の処理を実行する。
【００９７】
従って以上説明した実施形態に従えば、ユーザの指示に基づいて、異なるジョブ間でフチなし１カット印刷として連続的に印刷を開始するかどうかを判定できる。これにより、ユーザの用途に応じて、異なるジョブ間の画像間に余白を付与せずに連続的に記録を開始するか、画像間に余白を付与して記録を開始するかを設定できる。そのため、異なるジョブ間において、隣接する画像の入り込みが許容できる場合と、できない場合とが発生してもユーザが容易に切り替えることができる。
【００９８】
上述した実施形態では、画像の印刷中に次印刷モード判定部４１１が次のジョブの印刷モードを判定するものとしたが、これに限定されるものではなく、画像の印刷終了後に判定を行ってもよい。この場合は、画像の印刷終了後に記録媒体の搬送の停止を行う。
【００９９】
なお、以上説明した実施形態ではシリアルタイプの記録ヘッドを用いたインクジェット記録装置を例として説明したが、本発明は他の記録方式を用いたシリアル型の記録装置や、フルライン記録ヘッドを用いた記録装置にも適用可能である。
【０１００】
上述した実施形態は、以下の処理を実行することによっても実現される。即ち、上述した実施形態の機能を実現するソフトウエア（プログラム）を、ネットワーク又は各種記憶媒体を介してシステム或いは装置に供給し、そのシステム或いは装置のコンピュータ（ＣＰＵやＭＰＵ等）がプログラムを読み出して実行する処理である。また、プログラムは、１つのコンピュータで実行させても、複数のコンピュータを連動させて実行させるようにしてもよい。また、上記した処理の全てをソフトウエアで実現する必要はなく、処理の一部または全部をＡＳＩＣ等のハードウェアで実現するようにしてもよい。また、ＣＰＵも１つのＣＰＵで全ての処理を行うものに限らず、複数のＣＰＵが適宜連携をしながら処理を行うものとしてもよい。
【符号の説明】
【０１０１】
１  ロール紙、２  記録ヘッド、５  カッタ、８  搬送ローラ、９  ピンチローラ、
５１  搬送モータ、１００  インクジェット記録装置、２００  コンピュータ、
２１０  プリンタドライバ、２２０  印刷モード設定部、４００  制御部、
４１０  主制御部、４１１  次印刷モード判定部、４１２  カット動作判定部
４２０  搬送制御部
【図１】
2015212051.tif 000003
【図２】
2015212051.tif 000004
【図３】
2015212051.tif 000005
【図４】
2015212051.tif 000006
【図５】
2015212051.tif 000007
【図６】
2015212051.tif 000008
【図７】
2015212051.tif 000009
【図８】
2015212051.tif 000010
【図９】
2015212051.tif 000011
【図１０】
2015212051.tif 000012
【図１１】
2015212051.tif 000013